(57)【要約】【課題】誤操作や誤動作の恐れがなく、また緊急時に簡単かつ確実に操作することができる携帯用防犯ブザーを提供する。【解決手段】ブザーとその駆動電源を内蔵したブザー本体２と、ブザー本体２外面に配設された一対のスイッチ５ａ、５ｂと、両スイッチ５ａ、５ｂを同時に押すことによりブザーを動作状態にするスイッチ機構とを備えている。また、ブザー本体２裏面に、背負ったり、肩にかけたりして携帯する携帯用鞄の肩掛けベルトを挿通して取付けるようにしたホルダー１０を設けている。【選択図】図１
2007140809.tif 000002
【特許請求の範囲】
【請求項１】
ブザーとその駆動電源を内蔵したブザー本体と、ブザー本体外面に配設された一対のスイッチと、両スイッチを同時に押すことによりブザーを動作状態にするスイッチ機構とを備えたことを特徴とする携帯用防犯ブザー。
【請求項２】
一対のスイッチは、ブザー本体の両側面に配置したことを特徴とする請求項１記載の携帯用防犯ブザー。
【請求項３】
スイッチ機構をオフ状態にするリセットスイッチを、ブザー本体外面に設けた凹部内又は裏面に配置したことを特徴とする請求項１又は２記載の携帯用防犯ブザー。
【請求項４】
スイッチ機構は、他の携帯機器からの受信信号に基づいても動作することを特徴とする請求項１〜３の何れかに記載の携帯用防犯ブザー。
【請求項５】
ブザー本体裏面に、背負ったり、肩にかけたりして携帯する携帯用鞄の肩掛けベルトに取付けるホルダーを設けたことを特徴とする請求項１〜４の何れかに記載の携帯用防犯ブザー。
【請求項６】
ホルダーは、複数のベルト挿通開口を直列配置して構成され、肩掛けベルトをこれらベルト挿通開口にジクザグ状に挿通して固定するものであることを特徴とする請求項５記載の携帯用防犯ブザー。
【請求項７】
ホルダーを、ブザー本体の裏面に沿った平行姿勢と裏面に対して開いた傾斜姿勢との間で揺動可能にブザー本体の裏面に装着したことを特徴とする請求項６記載の携帯用防犯ブザー。
【発明の詳細な説明】
【技術分野】
【０００１】
本発明は携帯用防犯ブザーに関し、特に児童や女性が携帯するランドセルやショルダーバッグなどに取付けて携帯するのに好適な携帯用防犯ブザーに関するものである。
【背景技術】
【０００２】
学童用ランドセルに、ひもを引くことで音が鳴るようにした防犯装置を設けることで、他からの攻撃を防いだり、救助合図をできるようにしたものは従来から知られている（例えば、特許文献１参照。）。
【０００３】
また、通学時に学童が事故等に遭遇したときにブザー音で効果的に他人に知らせるため、ピンを引き抜くことで音が鳴る防犯ブザーを、ランドセル内に収納するのではなく、ランドセルの外面適所に取付けるようにしたものも知られている（例えば、特許文献２参照。）。その構成を図７を参照して説明すると、ランドセル３１の側面（まち面）のサイドベルト３２や肩掛けベルトなどの外面適所に防犯ブザーを収納する小収納体３３を取り付け、この小収納体３３に、ピン及びこのピンを引き抜く紐３４の取り出し口と、ブザー音の通過用開口３５とを設け、ランドセル３１の小収納体３３を取付けた下方部位に、 紐３４を移動可能に保持する紐通し体３６を設け、紐３４の先端に持ち手３７を設けている。また、その防犯ブザーは、電源とブザーの間にピンの抜き挿しによってオン・オフするスイッチを介装した構成となっている。
【特許文献１】登録実用新案第３０４２５９６号公報
【特許文献２】特開平１１−７５９２４号公報
【発明の開示】
【発明が解決しようとする課題】
【０００４】
ところが、上記従来の防犯ブザーは、ひもを引いたり、紐３４を引いてピンを抜くことで、ブザーが鳴動するタイプのものであるため、緊急時に簡単かつ確実に操作できるようにランドセル３１の外面に取り付けた場合には、誤って紐を引いたり、ピンが抜けたりすることが容易に発生し、誤操作や誤報が多く発生するという問題があった。
【０００５】
また、特許文献２に記載された構成では、防犯ブザーをランドセルの外面適所に取り付けるために、小収納体３３内に防犯ブザーを収納しているので、誤操作や誤動作がし難いスイッチを防犯ブザーの外面に設けた構成にしようとしても、スイッチ部が小収納体３３内に隠れてしまうため、瞬時に的確な操作を行うことができないという問題がある。
【０００６】
本発明は、上記従来の問題点に鑑み、誤操作や誤動作の恐れがなく、また緊急時に簡単かつ確実に操作することができる携帯用防犯ブザーを提供することを目的とする。
【課題を解決するための手段】
【０００７】
本発明の携帯用防犯ブザーは、ブザーとその駆動電源を内蔵したブザー本体と、ブザー本体外面に配設された一対のスイッチと、両スイッチを同時に押すことによりブザーを動作状態にするスイッチ機構とを備えたものである。
【０００８】
この構成によると、一対のスイッチを同時に押さないとブザーが動作状態にならないので、誤操作や誤動作の恐れは殆どなく、かつブザー本体外面にスイッチが配設されているので、操作性が良く、緊急時にも瞬時に的確な操作を行うことができる。
【０００９】
また、一対のスイッチを、ブザー本体の両側面に配置すると、ブザー本体を握るように持ってその両側面を押すだけで、一対のスイッチを同時に押すことができるので、一層容易に的確な操作を行うことができる。
【００１０】
また、スイッチ機構をオフ状態にするリセットスイッチを、ブザー本体外面に設けた凹部内又は裏面に配置すると、凹部内や裏面のリセットスイッチを押すのは容易でないので、ブザーを鳴らしても直ぐにリセットされてしまう恐れがなく、警報効果を確実に達成することができる。特に、凹部の径を小さくしたり、裏面の狭い空間にリセットスイッチを配置し、児童の細い指等でないと操作できないようにすると，一層効果的である。
【００１１】
また、スイッチ機構を、他の携帯機器からの受信信号に基づいても動作するようにすると、ショルダーバッグなどの引ったくり事件等の場合に、その直後に別に持っている発信器や携帯電話などから緊急信号を発信するようにすることで、犯人が持っているショルダーバッグ等からブザー音が出続けることで直ぐに手放すしかなくなり、被害を防ぐことも可能となる。
【００１２】
また、ブザー本体裏面に、背負ったり、肩にかけたりして携帯する携帯用鞄の肩掛けベルトに取付けるホルダーを設けると、体の前に位置する肩掛けベルトの前面にブザー本体の略全体を露出させて取付けることができ、ブザー本体外面の一対のスイッチを極めて操作し易い場所に位置させることができ、緊急時に簡単かつ確実にスイッチを操作することができる。
【００１３】
また、ホルダーが、複数のベルト挿通開口を直列配置して構成され、肩掛けベルトをこれらベルト挿通開口にジクザグ状に挿通して固定するものであると、ホルダーのベルト挿通開口に肩掛けベルトを挿通するだけで、ホルダーと肩掛けベルトの間に強い摩擦力が作用して、不測に移動する恐れなく強固に固定でき、簡単な構成でかつ容易に取付けることができながら強固な取付状態を確保することができる。
【００１４】
また、ホルダーを、ブザー本体の裏面に沿った平行姿勢と裏面に対して開いた傾斜姿勢との間で揺動可能にブザー本体の裏面に装着すると、ホルダーを肩掛けベルトに取付ける際などに、ホルダーを裏面に対して開いた傾斜姿勢とすることで容易に作業性良く取付けることができ、またスイッチ操作時にもブザー本体の姿勢を変えて操作し易くすることができる。また、電源用の電池の交換口をブザー本体の裏面に設けてもホルダーと干渉せずに容易に交換することができる。
【発明の効果】
【００１５】
本発明の携帯用防犯ブザーによれば、一対のスイッチを同時に押さないとブザーが動作状態にならないので、誤操作や誤動作の恐れは殆どなく、かつブザー本体外面にスイッチが配設されているので、操作性が良く、緊急時にも瞬時に的確な操作を行うことができる。
【発明を実施するための最良の形態】
【００１６】
以下、本発明の携帯用防犯ブザーの一実施形態について、図１〜図６を参照して説明する。
【００１７】
図１〜図３において、１は携帯用防犯ブザーであって、正面視形状が略長円形のブザー本体２の前面中央部に、ブザーを内蔵した発音部３が設けられている。ブザー本体２の裏面には、駆動電源である電池を収容配置する電池収容部を開閉可能に閉蓋する電池蓋４が配設されている。ブザー本体２の両側面には一対のスイッチ５ａ、５ｂが配設され、これらスイッチ５ａ、５ｂを同時に押すことによって、後述の如くブザーが作動するように構成されている。また、ブザー本体２の下端面に設けられた凹部６内にリセットスイッチ７が設けられている。
【００１８】
また、ブザー本体２の裏面の上部には一対のユニバーサルジョイント８ａ、８ｂが配設され、これらユニバーサルジョイント８ａ、８ｂからなるヒンジ部９にてホルダー１０の上端部が揺動可能に取付けられている。この構成により、ホルダー１０は、図１（ｂ）に実線で示すように、ブザー本体２の裏面に沿った姿勢と、仮想線で示すように、ブザー本体２の裏面から離間させた傾斜姿勢との間で揺動可能となっている。
【００１９】
ホルダー１０は、上下に直列配置された一対のベルト挿通開口１１ａ、１１ｂを設けて構成され、これらベルト挿通開口に１１ａ、１１ｂに、ランドセルやショルダーバッグなどを背負ったり、肩にかけたりして携帯する携帯用鞄の肩掛けベルト１２（図５参照）をジクザグ状に挿通することで、ホルダー１０を肩掛けベルト１２に固定するように構成されている。
【００２０】
ブザー本体２の上端一側部の側面に凹入部１３が形成され、この凹入部１３に吊下げピン１４が設けられ、吊下げ紐１５の一端を連結できるように構成されている。
【００２１】
次に、電気回路の構成について、図４を参照して説明する。電源用の電池１６に、圧電素子を用いたブザー回路１７とそのスイッチ回路１８が直列に接続され、そのスイッチ回路１８をオン又はオフ状態にするオンオフ信号を出力するラッチ回路１９が設けられている。また、コンデンサ２０と抵抗２１と一対のスイッチ５ａ、５ｂが直列接続されかつコンデンサ２０が高電位側となるように電池１６の両端子間に接続された回路２２が設けられ、そのコンデンサ２０と抵抗２１の間の電位信号がラッチ回路１９の入力端子１９ａに接続されている。ラッチ回路１９は、入力端子１９ａに第１の所定値以上の電位が入力されるとその後スイッチ回路１８にオフ信号を出力し、入力電位が第２の所定値以下に下がると、その後はスイッチ回路１８にオン信号を出力するように構成され、スイッチ回路１８とラッチ回路１９と回路２２にてスイッチ機構２３が構成されている。そして、コンデンサ２０に並列してリセットスイッチ７が接続されている。
【００２２】
かくして、平常時はラッチ回路１９の入力端子１９ａにコンデンサ２０の充電電位が入力されているので、スイッチ回路１８はオフ状態でブザー回路１７は作動しない状態になっている。また、この状態は一対のスイッチ５ａ、５ｂの何れか一方をオンしても、また例えば０．１秒以下というような極めて短時間だけなら両スイッチ５ａ、５ｂが押されても、コンデンサ２０の充電電位はコンデンサ２０と抵抗２１によって決まる時定数でしか低下しないので、入力端子１９ａに入力する電位はあまり低下せずスイッチ回路１８はオフ状態でブザー回路１７が作動しない状態になっている。
【００２３】
一方、例えば０．５秒程度の所定時間以上一対のスイッチ５ａ、５ｂを同時に押してオンすると、コンデンサ２０の電荷が抵抗２１及び一対のスイッチ５ａ、５ｂを通して放電されてラッチ回路１９の入力端子１９ａの電位が低下し、ラッチ回路１９にてスイッチ回路１８がオンされ、ブザー回路１７が作動状態となり、その状態が継続される。また、ブザー回路１７の作動を停止するには、リセットスイッチ７をオンすることでラッチ回路１９の入力端子１９ａに電池１６の高い電位が印加され、ラッチ回路１９にてその後スイッチ回路１８がオフされ、ブザー回路１７の作動が停止する。
【００２４】
なお、必要に応じて、仮想線で示すように、緊急発信器や携帯電話などの他の携帯機器から発せられる緊急信号を受信する受信部２４を設け、受信部２４がその受信信号に基づいて、前記所定値以下の電位が入力端子１９ａに入力されたのと同様の動作をラッチ回路１９にさせる信号をラッチ回路１９に出力するようにしても良い。
【００２５】
以上の構成の携帯用防犯ブザー１を児童のランドセル等で使用する際には、図５に示すように、ホルダー１０をブザー本体２の裏面から離した傾斜姿勢にした状態で、ランドセル等の肩掛けベルト１２をホルダー１０の複数のベルト挿通開口１１ａ、１１ｂにジクザグ状に挿通し、肩掛けベルト１２の所望の位置にホルダー１０を位置させた後、肩掛けベルト１２をできるだけ真っ直ぐになるように引っ張るだけで、携帯用防犯ブザー１が容易に移動しない状態で固定される。その後、ホルダー１０に対してブザー本体２を平行姿勢にして携帯用防犯ブザー１を肩掛けベルト１２に沿わせる。
【００２６】
また、万一ヒンジ部９が破損されてホルダー１０からブザー本体２が外れた場合にも、不測に落としてしまったり、ブザー音が発せられている状態で遠くに投げ捨てられてその機能が損なわれることがないように、ブザー本体２に設けられた吊下げピン１４に吊下げ紐１５の一端部を通して結合するとともに、吊下げ紐１５を肩掛けベルト１２の周囲に巻きつけ、先端のフック部１５ａを吊下げ紐１５の中間部に掛け止めしておく。かくして、図６に示すような状態で、携帯用防犯ブザー１が肩掛けベルト１２に取付けられる。
【００２７】
こうしてランドセル等の肩掛けベルト１２に携帯用防犯ブザー１を取付けた状態で、異常事態が発生した時には、肩掛けベルト１２とともにブザー本体２を握るように持ってブザー本体２の両側面のスイッチ５ａ、５ｂを同時に押すことにより、ブザー回路１７が作動して発音部３から大きなブザー音が発せられ、異常事態が発生したことを広範囲に報知することができる。
【００２８】
また、ブザー音が不要になった場合には、ブザー本体２の下端面に形成した凹部６内のリセットスイッチ７を、児童の小さな指やその他の細い棒状部材を凹部６内に入れて押すことで、ブザー音を停止することができる。
【００２９】
以上の本実施形態によれば、一対のスイッチ５ａ、５ｂを同時に押さないとブザーが動作状態にならないので、誤操作や誤動作の恐れは殆どなく、かつブザー本体２外面にスイッチ５ａ、５ｂが配設されているので、操作性が良く、緊急時にも瞬時に的確な操作を行うことができる。特に、一対のスイッチ５ａ、５ｂを、ブザー本体２の両側面に配置しているので、ブザー本体２を握るように持ってその両側面を押すだけで、一対のスイッチ５ａ、５ｂを同時に押すことができるので、一層容易に的確な操作を行うことができる。
【００３０】
また、ブザー本体２の裏面にホルダー１０を設けて、背負ったり、肩にかけたりして携帯する携帯用鞄の肩掛けベルト１２に取付けるようにしているので、体の前に位置する肩掛けベルト１２の前面にブザー本体２の略全体を露出させて取付けることができ、ブザー本体２外面の一対のスイッチ５ａ、５ｂを極めて操作し易い場所に位置させることができ、緊急時に簡単かつ確実にスイッチ５ａ、５ｂを操作することができる。
【００３１】
また、ホルダー１０が複数のベルト挿通開口１１ａ、１１ｂを直列配置して構成され、肩掛けベルト１２をこれらベルト挿通開口１１ａ、１１ｂにジクザグ状に挿通して固定するようにしているので、ホルダー１０のベルト挿通開口１１ａ、１１ｂに肩掛けベルト１２を挿通するだけで、ホルダー１０と肩掛けベルト１２の間に強い摩擦力が作用して、不測に移動する恐れなく強固に固定でき、簡単な構成でかつ容易に取付けることができながら強固な取付状態を確保することができる。
【００３２】
また、ホルダー１０を、ヒンジ部９にてブザー本体２の裏面に沿った平行姿勢と裏面に対して開いた傾斜姿勢との間で揺動可能にブザー本体２の裏面に装着しているので、ホルダー１０を肩掛けベルト１２に取付ける際などに、ホルダー１０を裏面に対して開いた傾斜姿勢とすることで容易に作業性良く取付けることができ、またスイッチ５ａ、５ｂの操作時にもブザー本体２の姿勢を変えて操作し易くすることができる。また、電池１６を交換するための電池蓋４をブザー本体２の裏面に設けていても、ホルダー１０と干渉せずに容易に交換することができる。
【００３３】
また、リセットスイッチ７をブザー本体２外面に設けた凹部６内に配置しているので、リセットスイッチ７を瞬時に押すのは容易でなく、そのためブザーを鳴らしても直ぐにリセットされてしまう恐れがなく、警報効果を確実に達成することができる。特に、凹部６の径を小さくして児童の細い指等でないと操作できないようにすると、一層効果的である。また、リセットスイッチ７を、凹部６内に配置する代わりに、ブザー本体２の裏面のホルダー１０取付用のヒンジ部９の近傍の狭い空間等の操作し難い部位に配置しても同様の効果が得られる。
【００３４】
また、図４に仮想線で示したように、受信部２４を設け、他の携帯機器からの受信信号に基づいてスイッチ機構２３を動作できるようにすると、ショルダーバッグなどの引ったくり事件等の場合に、その直後に別に持っている発信器や携帯電話などから緊急信号を発信するようにすることで、犯人が持っているショルダーバッグ等からブザー音が出続けることで直ぐに手放すしかなくなり、被害を防ぐことも可能となる。
【００３５】
また、以上の構成では、ヒンジ部９を一対のユニバーサルジョイント８ａ、８ｂにて構成した例を示したが、ヒンジ部９は樹脂ヒンジ等にて構成しても良く、またブザー本体２とホルダー１０の下端部同士を解除自在に係止する係止部を設けても良い。
【００３６】
さらに、以上の実施形態の携帯用防犯ブザー１においては、ブザー本体２にブザー機能のみを配設した例を示したが、場合によっては歩数計機能を付加的に持たせた構成とすることもできる。また、ブザー本体２の表面に交通安全のための再帰性反射膜やＬＥＤ等の発光体を設けたり、さらには懐中電灯機能を持たせたりしても良い。
【産業上の利用可能性】
【００３７】
本発明の携帯用防犯ブザーは、一対のスイッチを同時に押さないとブザーが動作状態にならないので、誤操作や誤動作の恐れは殆どなく、かつブザー本体外面にスイッチが配設されているので、操作性が良く、緊急時にも瞬時に的確な操作を行うことができるので、児童が持つランドセルや女性が持つショルダーバッグなどに取り付ける携帯用防犯ブザーとして有用である。
【図面の簡単な説明】
【００３８】
【図１】本発明の一実施形態の携帯用防犯ブザーを示し、（ａ）は正面図、（ｂ）は部分断面側面図。
【図２】同携帯用防犯ブザーの下面図。
【図３】同携帯用防犯ブザーの背面図。
【図４】同携帯用防犯ブザーの電気回路の概略構成を示すブロック図。
【図５】同携帯用防犯ブザーの取付動作を説明する側面図。
【図６】同携帯用防犯ブザーの取付状態を示す斜視図。
【図７】従来例の防犯ブザーをランドセルに取付けた状態を示す斜視図。
【符号の説明】
【００３９】
１  携帯用防犯ブザー
２  ブザー本体
３  発音部
５ａ、５ｂ  スイッチ
６  凹部
７  リセットスイッチ
９  ヒンジ部
１０  ホルダー
１１ａ、１１ｂ  ベルト挿通開口
１２  肩掛けベルト
１６  電池
２３  スイッチ機構
２４  受信部
【図１】
2007140809.tif 000003
【図２】
2007140809.tif 000004
【図３】
2007140809.tif 000005
【図４】
2007140809.tif 000006
【図５】
2007140809.tif 000007
【図６】
2007140809.tif 000008
【図７】
2007140809.tif 000009